(57)【特許請求の範囲】
【請求項１】
光ディスクの回転にて光ディスク表面より浮上するスライダが、複数の板状のスライダ部材と当該スライダ部材間に挟持された積層型圧電素子とで構成され、上記スライダに、光ビームを光ディスクに集光するための複数のレンズ全てを含む集光レンズ手段が搭載されており、
上記集光レンズ手段に含まれる複数のレンズのうち、少なくとも第１レンズと第２レンズとは、上記スライダを貫く貫通穴であって、上記複数のスライダ部材および上記積層型圧電素子を貫く貫通穴において、上記積層型圧電素子を間に挟む一対のスライダ部材の一方と他方とに分かれて取り付けられていることを特徴とする光ピックアップ。
【請求項２】
上記スライダは、スライダを光ディスク方向に付勢する第１の弾性部材を介してスライダ保持体に保持された構成であって、
上記第１の弾性部材は導電性材料よりなり、
該第１の弾性部材を介して上記積層型圧電素子への電力供給が行われることを特徴とする請求項１に記載の光ピックアップ。
【請求項３】
上記スライダを保持するスライダ保持体は、スライダ保持体をトラック方向に揺動自在に支持する第２の弾性部材を介してキャリッジに保持され、スライダ保持体に保持されたアクチュエータにてトラック方向に駆動される構成であって、
上記第２の弾性部材は導電性材料よりなり、
該第２の弾性部材を介して上記アクチュエータへの電力供給が行われることを特徴とする請求項１に記載の光ピックアップ。
【請求項４】
上記スライダは、スライダを光ディスク方向に付勢する第１の弾性部材を介してスライダ保持体に保持された構成であると共に、
上記スライダ保持体は、スライダ保持体をトラック方向に揺動自在に支持する第２の弾性部材を介してキャリッジに保持され、スライダ保持体に保持されたアクチュエータにてトラック方向に駆動される構成であって、
上記第１の弾性部材及び第２の弾性部材は共に導電性材料よりなり、
これら第１の弾性部材及び第２の弾性部材を介して上記積層型圧電素子への電力供給が行われると共に、第２の弾性部材を介して上記アクチュエータへの電力供給が行われることを特徴とする請求項１に記載の光ピックアップ。
【請求項５】
上記スライダに、磁界印加手段が搭載されていることを特徴とする請求項１に記載の光ピックアップ。
【請求項６】
上記スライダは、スライダを光ディスク方向に付勢する第１の弾性部材を介してスライダ保持体に保持された構成であって、
上記第１の弾性部材は導電性材料よりなり、
該第１の弾性部材を介して上記磁界印加手段への電力供給が行われることを特徴とする請求項５に記載の光ピックアップ。
【請求項７】
上記スライダを保持するスライダ保持体は、スライダ保持体をトラック方向に揺動自在に支持する第２の弾性部材を介してキャリッジに保持された構成であって、
上記第２の弾性部材は導電性材料よりなり、
該第２の弾性部材を介して上記磁界印加手段への電力供給が行われることを特徴とする請求項５に記載の光ピックアップ。
【請求項８】
上記スライダは、スライダを光ディスク方向に付勢する第１の弾性部材を介して、キャリッジに保持されたスライダ保持体に保持された構成であると共に、
上記スライダ保持体は、スライダ保持体をトラック方向に揺動自在に支持する第２の弾性部材を介してキャリッジに保持された構成であって、
上記第１の弾性部材及び第２の弾性部材が共に導電性材料よりなり、
これら第１の弾性部材及び第２の弾性部材を介して上記磁界印加手段への電力供給が行われることを特徴とする請求項５に記載の光ピックアップ。
【請求項９】
上記請求項１〜８の何れか１項に記載の光ピックアップを備えてなることを特徴とする光ディスク装置。
【発明の詳細な説明】
【０００１】
【発明の属する技術分野】
本発明は、光ディスクに対して情報の記録、再生、消去の少なくとも一つを行う光ディスク装置及びそれに搭載される光ピックアップに関するものである。
【０００２】
【従来の技術】
近年、情報の再生、記録及び消去を行うことができる光ディスクの開発が進展したことにより、民生用やデータ保存用として光ディスクの普及が顕著になっている。現在、その高密度化、大容量化へのさらなる要望を満たす研究が、鋭意進められている。
【０００３】
光ディスクの高密度化、大容量化を図るためには、光ディスクに記録情報を実体化するマーク（記録ビット）をより小さくした状態で、情報を再生、記録できるようにすればよく、そのためには、光ディスクに照射される光ビームのスポット径を小さくすることが必要となる。
【０００４】
光ビームのスポット径は、原理的にλ／ＮＡに比例する。
（λ：光の波長、ＮＡ：対物レンズの開口数）
つまり、記録再生に使用する光の波長を短くすることと、対物レンズの開口数ＮＡを大きくすることによって、ビームスポットの小径化を達成できる。
【０００５】
しかし、光の波長を短くしたり、対物レンズの開口数ＮＡを大きくすると、ディスク基板が傾くことにより、大きな波面収差が発生し、光ビームを精度良く集光することができなくなってしまう。これを補うために、従来、ディスク基板の薄型化が進められてきた。
【０００６】
例えば、ＣＤ−ＲＯＭの場合、対物レンズの開口数ＮＡが０．４５、光の波長が７８０ｎｍで、基板の厚さは１．２ｍｍであるのに対して、対物レンズの開口数ＮＡが０．６、光の波長が６５５ｎｍであるＤＶＤ−ＲＯＭにおいては、基板の厚さを０．６ｍｍとして、記録容量の増大とディスク基板の傾きに対する許容量の拡大とを図っている。
【０００７】
しかしながら、さらにディスク基板が薄くなると、剛性の低下によりディスク基板自体の面振れにともなう基板の傾き（チルト）が大きくなり逆効果となる。したがって、光の波長を短くすることと、対物レンズの開口数ＮＡを大きくすることには限界がある。
【０００８】
このような問題を解決するために提案されたものとして、例えば、特開２０００−３６１２４号公報に示された光ディスク装置がある。
【０００９】
該公報に示された光ディスク装置は、図１３に示すように、フォーカス方向１０８とトラック方向１０９に駆動可能な二次元アクチュエータ１００と、この二次元アクチュエータ１００に固定されたレンズホルダ１０１に保持される第１レンズ１０２と、レンズホルダ１０１に対して板バネ１０３により支持され、かつ、回転する光ディスク１０４に対して、エアベアリング（空気膜）を介して浮上させられるスライダ１０５と、このスライダ１０５に保持される第２レンズ１０６とを備え、照射されるレーザ光１０７を上記第１レンズ１０２と第２レンズ１０６を含む対物レンズ系により、光ディスク１の信号記録面に集光照射することが可能となる。
【００１０】
上記スライダ１０５は、板バネ１０３により支持されているため、フォーカス方向１０８に所定のバネ定数をもつとともに、光ディスク１０４の傾きに対して自由度を持つよう上記レンズホルダ１０１に対して支持されている。
【００１１】
このような構成においては、スライダ１０５がエアベアリングにより浮上することにより、スライダ１０５の傾きが光ディスク１０４の傾きに倣い、波面収差が抑制できるとともに、第１レンズ１０２を二次元アクチュエータ１００でフォーカス方向１０８に駆動することにより、光ディスク１０４の厚みむらや湾曲に起因するディスク表面の厚み方向のぶれ、あるいは、チルトのダイナミックな変動に対しても、スライダ１０５の光ディスク１０４に対する負荷荷重をダイナミックに制御することが可能となり、スライダ１０５を精度良く光ディスク１０４の表面に倣わすことが可能となり、波面収差を抑制し、高ＮＡ化が実現するとしている。
【００１２】
【発明が解決しようとする課題】
しかしながら、上述の特開２０００−３６１２４号公報に記載された構成では、トラッキング時に第１レンズ１０２と第２レンズ１０６の光軸ずれが発生し易く、集光スポット形状が円形から変形してしまうといった問題がある。
【００１３】
すなわち、上記の構成では、レンズホルダ１０１に固定された第１レンズ１０２とスライダ１０５に固定された第２レンズ１０６とは、板バネ１０３を介して設置されるが、この板バネ１０３は、フォーカス方向１０８だけでなく、トラック方向１０９にも所定のバネ定数を有している。そのため、レンズホルダ１０１がトラッキングのためトラック方向１０９に駆動されると、第１レンズ１０２と第２レンズ１０６とがトラック方向１０９に位置ずれを生じ、第１レンズ１０２と第２レンズ１０６との光軸ずれが発生する。光軸ずれが発生すると、光軸ずれに伴う収差により、集光スポット形状が円形から変形してしまい、良好な記録再生特性を維持することが困難となる。
【００１４】
【課題を解決するための手段】
本発明の光ピックアップは、上記課題を解決するために、光ディスクの回転にて光ディスク表面より浮上するスライダに、光ビームを光ディスクに集光するための複数のレンズからなる集光レンズ手段を搭載させ、かつ、これら複数のレンズのレンズ間隔を、上記スライダに搭載した圧電素子層にて制御することを特徴としている。
【００１５】
なお、上記スライダは、光ディスクが停止している間は光ディスクの表面と接触して配置され、光ディスクが回転されることで、光ディスクの表面に形成されるエアベアリングを介して離間するものであって、浮上という表現を用いいるが、上方へ浮き上がるものに限られるものではない。
【００１６】
これによれば、光ディスク表面より浮上するスライダに集光レンズ手段が搭載されるので、スライダが光ディスク表面に倣うことで、波面収差を抑制することができる。
【００１７】
そして、集光レンズ手段を構成する複数のレンズのレンズ間隔は、集光レンズ手段と共にスライダに搭載された圧電素子層にて制御されるので、容易にフォーカシングを行って光ディスクに光ビームを集光させることが可能となる。したがって、光ディスクの厚みむらや湾曲に起因するディスク表面の厚み方向のぶれ、或いはチルトといった、スライダがエアベアリングを介して光ディスク表面に倣うことだけでは追随できないダイナミックな変動に対しては、この圧電素子層を駆動してフォーカシングを行うことで容易に対応できる。
【００１８】
さらに、この構成では、集光レンズ手段を構成する複数のレンズ全てがスライダに搭載されるので、トラッキング時に集光レンズ手段をトラック方向（水平方向）に移動させても、集光レンズ手段を構成する複数のレンズがスライダとスライダ以外の部材とに分けて搭載された構成のように、各レンズがトラック方向に位置ずれするようなことがない。したがって、集光レンズ手段を構成するレンズを複数枚として高ＮＡ化を図っても、複数のレンズ間で光軸ずれが発生せず、光ディスク上の集光スポット形状を良好な円形状とできる。
【００１９】
その結果、高ＮＡ化を図るべく、複数のレンズからなる集光レンズ手段を使用しても、良好な記録再生特性を維持することが可能となり、ひいては、高密度記録再生の実用化を達成できる。
【００２０】
本発明の光ピックアップは、上記課題を解決するために、上記構成の光ピックアップにおいて、上記スライダは、スライダを光ディスク方向に付勢する第１の弾性部材を介してスライダ保持体に保持された構成であって、上記第１の弾性部材は導電性材料よりなり、該第１の弾性部材を介して上記圧電素子層への電力供給が行われることを特徴としている。
【００２１】
このような、スライダが第１の弾性部材にて光ディスク側に付勢された構成では、光ディスクの回転にてスライダと光ディスク表面との間に形成されるエアベアリング（空気膜）の状態が安定化されるので、スライダは光ディスク表面により安定して倣い、波面収差をより効果的に抑制することが可能となる。
【００２２】
ところで、スライダに搭載された圧電素子層へと延びる導線を設けた場合、この導線は自身の持つ剛性にてバネとして働き、スライダの安定浮上を妨げる恐れがある。そこで、上記構成では、第１の弾性部材を導電性材料より形成し、該第１の弾性部材を介して圧電素子層へと電力を供給するようにしている。これにより、圧電素子層へと延びる導線を別途形成する構成に比べて、低コスト化が図れることはもちろんのこと、圧電素子層へと延びる上記導線にてスライダの安定浮上が妨げられることがないので、より安定したフォーカシングが実現される。
【００２３】
本発明の光ピックアップは、上記課題を解決するために、上記構成の光ピックアップにおいて、上記スライダを保持するスライダ保持体は、スライダ保持体をトラック方向に揺動自在に支持する第２の弾性部材を介してキャリッジに保持され、スライダ保持体に保持されたアクチュエータにてトラック方向に駆動される構成であって、上記第２の弾性部材は導電性材料よりなり、該第２の弾性部材を介して上記アクチュエータへの電力供給が行われることを特徴としている。
【００２４】
このような、スライダ保持体が第２の弾性部材を介してキャリッジにトラック方向に揺動自在に保持され、このスライダ保持体に保持されたアクチュエータにてトラック方向に駆動される構成では、偏心を有する光ディスクであっても、トラッキングを行って追随可能となる。
【００２５】
ところで、スライダ保持体に保持されたアクチュエータへと延びる導線を設けた場合、この導線は自身の持つ剛性にてバネとして働き、第２の弾性部材にて揺動自在に保持されたスライダ保持体の動きを妨げる恐れがある。そこで、上記構成では、第２の弾性部材を導電性材料より形成し、該第２の弾性部材を介してスライダ保持体に設けられたアクチュエータへと電力を供給するようにしている。これにより、アクチュエータへと延びる導線を別途形成する構成に比べて、低コスト化が図れることはもちろんのこと、アクチュエータへと延びる上記導線にてスライダ保持体のトラック方向への揺動が妨げられることがないので、より安定したトラッキングが実現される。
【００２６】
本発明の光ピックアップは、上記課題を解決するために、上記構成の光ピックアップにおいて、上記スライダは、スライダを光ディスク方向に付勢する第１の弾性部材を介してスライダ保持体に保持された構成であると共に、上記スライダ保持体は、スライダ保持体をトラック方向に揺動自在に支持する第２の弾性部材を介してキャリッジに保持され、スライダ保持体に保持されたアクチュエータにてトラック方向に駆動される構成であって、上記第１の弾性部材及び第２の弾性部材は共に導電性材料よりなり、これら第１の弾性部材及び第２の弾性部材を介して上記圧電素子層への電力供給が行われると共に、第２の弾性部材を介して上記アクチュエータへの電力供給が行われることを特徴としている。
【００２７】
これによれば、既に説明したとおり、エアベアリングの状態が安定化されて波面収差をより効果的に抑制することが可能となると共に、トラッキングを行って偏心を有する光ディスクであっても追随可能となる。そして、これに加えて、圧電素子層への給電を第１の弾性部材及び第２の弾性部材を介して行うと共に、アクチュエータへの給電を第２の弾性部材を介して行うので、安定化したフォーカシング及びトラッキングが実現される。
【００２８】
本発明の光ピックアップは、上記課題を解決するために、上記構成の光ピックアップにおいて、上記スライダに、磁界印加手段が搭載されていることを特徴としている。
【００２９】
光ディスクにおける記録材料として光磁気記録材料を用いた場合（光磁気ディスク）、光ディスクに対して磁界を印加することが必要となるが、これによれば、上記スライダに磁界印加手段までもが搭載されているので、磁界印加手段を搭載したスライダ等の磁気ヘッドを別途設ける構成に比べて、光ピックアップが搭載される光ディスク装置の構造をより簡素化できる。
【００３０】
本発明の光ピックアップは、上記課題を解決するために、上記構成の光ピックアップにおいて、上記スライダは、スライダを光ディスク方向に付勢する第１の弾性部材を介してスライダ保持体に保持された構成であって、上記第１の弾性部材は導電性材料よりなり、該第１の弾性部材を介して上記磁界印加手段への電力供給が行われることを特徴としている。
【００３１】
既に説明したように、スライダが第１の弾性部材にて光ディスク側に付勢された構成とすることで、スライダは光ディスク表面により安定して倣い、波面収差をより効果的に抑制することが可能となる。
【００３２】
そしてまた、上記構成では、第１の弾性部材を導電性材料より形成し、該第１の弾性部材を介して磁界印加手段へと電力を供給する構成であるので、スライダに搭載された圧電素子層への電力供給の場合と同様に、磁界印加手段へと延びる導線を別途形成する構成に比べて、低コスト化が図れることはもちろんのこと、磁界印加手段へと延びる上記導線にてスライダの安定浮上が妨げられることがないので、より安定したフォーカシングが実現される。
【００３３】
本発明の光ピックアップは、上記課題を解決するために、上記構成の光ピックアップにおいて、上記スライダを保持するスライダ保持体は、スライダ保持体をトラック方向に揺動自在に支持する第２の弾性部材を介してキャリッジに保持された構成であって、上記第２の弾性部材は導電性材料よりなり、該第２の弾性部材を介して上記磁界印加手段への電力供給が行われることを特徴としている。
【００３４】
既に説明したように、スライダ保持体を第２の弾性部材を介してキャリッジにトラック方向に揺動自在に保持する構成では、アクチュエータを設けてトラック方向に駆動することで、偏心を有する光ディスクであっても、トラッキングを行って追随可能となる。
【００３５】
そしてまた、上記構成では、第２の弾性部材を導電性材料より形成し、該第２の弾性部材を介してスライダ保持体に設けられた磁界印加手段へと電力を供給する構成であるので、スライダ保持体に保持されたアクチュエータへの電力供給の場合と同様に、該磁界印加手段へと延びる導線を別途形成する構成に比べて、低コスト化が図れることはもちろんのこと、磁界印加手段へと延びる上記導線にてスライダ保持体のトラック方向への揺動が妨げられることがないので、より安定したトラッキングが実現される。
【００３６】
本発明の光ピックアップは、上記課題を解決するために、上記構成の光ピックアップにおいて、上記スライダは、スライダを光ディスク方向に付勢する第１の弾性部材を介してスライダ保持体に保持された構成であると共に、上記スライダ保持体は、当該スライダ保持体をトラック方向に揺動自在に支持する第２の弾性部材を介してキャリッジに保持された構成であって、上記第１の弾性部材及び第２の弾性部材が共に導電性材料よりなり、これら第１の弾性部材及び第２の弾性部材を介して上記磁界印加手段への電力供給が行われることを特徴としている。
【００３７】
これによれば、既に説明したとおり、エアベアリングの状態が安定化されて波面収差をより効果的に抑制することが可能となると共に、アクチュエータを設けてトラック方向に駆動することで、トラッキングを行って偏心を有する光ディスクであっても追随可能となり、また、磁界印加手段への給電を第１の弾性部材及び第２の弾性部材を介して行うので、安定化したフォーカシング及びトラッキングが実現される。
【００３８】
また、本発明の光ディスク装置は、上記課題を解決するために、上記した本発明の光ピックアップを備えてなることを特徴としている。
【００３９】
これにより、高ＮＡ化を図って、高密度記録再生を実現できる光ディスク装置を提供できる。本発明の光ディスク装置としては、光ディスクの読み取り専用の装置のみならず、磁界変調方式や光パルス変調方式によって光磁気ディスクに読み書き可能な光磁気ディスク装置も含まれる。
【００４０】
なお、本発明の光ピックアップは、光ディスクに対してエアベアリングを介して浮上させられるスライダと、光ビームを光ディスクに集光するため、該スライダに保持された第１レンズと第２レンズとを有する光ピックアップにおいて、該スライダに、該第１レンズと第２レンズの間隔を制御するための圧電素子層が設けられていることを特徴としてもよい。
【００４１】
これによれば、第１レンズと第２レンズとが、圧電素子層を有するスライダに固定されており、圧電素子層を駆動して、第１レンズと第２レンズとの間隔を制御することにより、容易にフォーカシング駆動を行うことが可能となる。さらに、第１レンズと第２レンズの水平方向の位置関係が固定されているため、トラッキング駆動を行った場合においても、第１レンズと第２レンズの光軸ずれが発生せず、集光スポット形状は良好な円形状となり、良好な記録再生特性を維持することが可能となる。
【００４２】
また、本発明の光ピックアップは、光ディスクに対してエアベアリングを介して浮上させられるスライダと、光ビームを光ディスクに集光するため、該スライダに保持された第１レンズと第２レンズとを有する光ピックアップにおいて、該スライダに、該第１レンズと第２レンズの間隔を制御するための圧電素子層が設けられていると共に、上記スライダが、スライダホルダに対して、第１バネを介して固定され、上記光ディスクに対して、該スライダが押圧されていることを特徴としてもよい。
【００４３】
これによれば、スライダが光ディスクに対して押圧されることにより、エアベアリングの状態が安定化され、スライダが光ディスク表面に倣い、波面収差を抑制することが可能となる。
【００４４】
また、本発明の光ピックアップは、光ディスクに対してエアベアリングを介して浮上させられるスライダと、光ビームを光ディスクに集光するため、該スライダに保持された第１レンズと第２レンズとを有する光ピックアップにおいて、該スライダに、該第１レンズと第２レンズの間隔を制御するための圧電素子層が設けられていると共に、上記スライダが、スライダホルダに対して、第１バネを介して固定され、上記光ディスクに対して、該スライダが押圧され、かつ、上記スライダホルダが、光ピックアップキャリッジに対して、第２バネを介して固定され、トラック方向に駆動可能なアクチュエータによりトラッキングが行われることを特徴としてもよい。
【００４５】
これによれば、本発明の第１レンズと第２レンズとを有するスライダ、及び、該スライダを支持するスライダホルダのトラッキング駆動を実現することが可能となり、偏心を有する光ディスクにおいても、本発明の光ピックアップに係るスライダを採用することが可能となる。
【００４６】
また、本発明の光ピックアップは、光ディスクに対してエアベアリングを介して浮上させられるスライダと、光ビームを光ディスクに集光するため、該スライダに保持された第１レンズと第２レンズとを有する光ピックアップにおいて、該スライダに、該第１レンズと第２レンズの間隔を制御するための圧電素子層が設けられていると共に、上記スライダに固定された第２レンズの周りに空芯コイルが設けられていることを特徴としてもよい。
【００４７】
これによれば、空芯コイルにより、光ディスクに対して磁界を印加することができ、光磁気記録材料を記録媒体として用いた光磁気ディスクにおいて、本発明の光ピックアップに係るスライダを採用することが可能となる。
【００４８】
また、本発明の光ピックアップは、光ディスクに対してエアベアリングを介して浮上させられるスライダと、光ビームを光ディスクに集光するため、該スライダに保持された第１レンズと第２レンズとを有する光ピックアップにおいて、該スライダに、該第１レンズと第２レンズの間隔を制御するための圧電素子層が設けられていると共に、上記スライダが、スライダホルダに対して、第１バネを介して固定され、上記光ディスクに対して、該スライダが押圧され、かつ、上記スライダを支持する第１バネを導電性材料で形成し、上記第１バネを介して、圧電素子層への電力供給を行うことを特徴としてもよい。
【００４９】
これによれば、スライダに設けられた圧電素子層へ電力を供給するための導線等を別途設ける必要がなくなり、低コスト化が実現するとともに、第１バネによる光ディスクへの押圧力が安定化され、安定したフォーカシングが実現する。
【００５０】
また、本発明の光ピックアップは、光ディスクに対してエアベアリングを介して浮上させられるスライダと、光ビームを光ディスクに集光するため、該スライダに保持された第１レンズと第２レンズとを有する光ピックアップにおいて、該スライダに、該第１レンズと第２レンズの間隔を制御するための圧電素子層が設けられていると共に、上記スライダが、スライダホルダに対して、第１バネを介して固定され、上記光ディスクに対して、該スライダが押圧され、かつ、上記スライダホルダが、光ピックアップキャリッジに対して、第２バネを介して固定され、トラック方向に駆動可能なアクチュエータによりトラッキングが行われ、上記スライダホルダを支持する第２バネを導電性材料で形成し、上記第２バネを介して、上記スライダホルダに固定されたトラッキングアクチュエータを構成するコイルへの電力供給を行うことを特徴としてもよい。
【００５１】
これによれば、スライダホルダに固定されたトラッキングアクチュエータを構成するコイルへ電力を供給するための導線等を別途設ける必要がなくなり、低コスト化が実現するとともに、第２バネによるスライダホルダの支持状態が安定化され、安定したトラッキングを実現することが可能となる。
【００５２】
また、本発明の光ピックアップは、光ディスクに対してエアベアリングを介して浮上させられるスライダと、光ビームを光ディスクに集光するため、該スライダに保持された第１レンズと第２レンズとを有する光ピックアップにおいて、該スライダに、該第１レンズと第２レンズの間隔を制御するための圧電素子層が設けられていると共に、上記スライダに固定された第２レンズの周りに空芯コイルが設けられ、上記スライダを支持する第１バネ、または、上記スライダホルダを支持する第２バネ、または、それらのバネの両方を導電性材料で形成し、上記第１バネ及び第２バネを介して、空芯コイルへの電力供給を行うことを特徴としてもよい。
【００５３】
これによれば、スライダに設けられた空芯コイルへ電力を供給するための導線等を別途設ける必要がなくなり、低コスト化が実現する。そして、第１バネによる光ディスクへの押圧力が安定化されるとともに、第２バネによるスライダホルダの支持状態が安定化され、安定したフォーカシングとトラッキングを実現することが可能となる。
【００５４】
【発明の実施の形態】
〔実施の形態１〕
本発明に係る実施の一形態について、図１〜図７を用いて説明すれば、以下の通りである。
【００５５】
図５に、本実施の形態の光ピックアップ５を搭載する光ディスク装置の概略構成を示す。ここで、１は光ディスクであり、２はセンターハブ、３はスピンドルである。光ディスク１は、センターハブ２を介してスピンドル３に対して固定され回転駆動される。光ピックアップ５は、図示しないリニアモータ又はスイングアームにより、光ディスク１の半径方向にアクセス駆動される。
【００５６】
図１に、図５の光ピックアップ５部分の断面拡大図を示す。また、図２に、該光ピックアップ５の平面図を示す。
【００５７】
光ディスク１は、光ディスク基板６と光記録媒体７と保護コート８とで構成されている。光ピックアップ５から出射される光ビーム９は、第１レンズ１６と第２レンズ１７とからなる対物レンズ系を通ることにより、光記録媒体７上に集光照射され、情報の記録、消去、及び再生が行われる。
【００５８】
上記光ディスク基板６としては、ポリカーボネート等の樹脂基板を用いることができ、光ディスク基板６の光ビーム集光面には、トラッキングのための案内溝（図示せず）が形成されている。光記録媒体７としては、ＧｅＳｂＴｅ，ＩｎＡｇＳｂＴｅ等の相変化記録材料や、ＴｂＦｅＣｏ等の光磁気記録材料や、ＴｂＦｅＣｏ及びＧｄＦｅＣｏ等を複数層積層した超解像光磁気記録材料や、色素系有機材料を用いた追記型記録材料を用いることができる。
【００５９】
保護コート８は、後述するスライダ１０が光ディスク１に接触した際に、光記録媒体７が損傷しないように保護を目的に設けられるものであり、少なくとも光を透過する材料であることが必要である。保護コート８としては、例えば、紫外線硬化樹脂層、又は、透明シートを接着した層等の透明な樹脂層とすることができる。また、ＳｉＮやＡｌＮ等の透明誘電体を用いることもできる。
【００６０】
なお、上記光ディスク１としては、光ディスク基板６上に凹凸ピットを形成し、光記録媒体７の代わりに反射膜を設けた読出し専用の光ディスクであっても良い。
【００６１】
光ピックアップ５は、光学系として、発光素子２３、フォーカシング・トラッキング用受光素子２４、及び再生信号検出用受光素子２５等の光学素子を有する発光受光素子部１１、立上げミラー１４、第１レンズ１６、第２レンズ１７を備えている。発光受光素子部１１は、図示しないリニアモータ又はスイングアームにより、光ディスク１の半径方向にアクセス駆動される光ピックアップキャリッジ（キャリッジ）１２上に固定配置されている。発光受光素子１１から出射された光ビーム９は、スライダホルダ（スライダ保持体）１３上に固定配置された立上げミラー１４により、光ディスク１の方向へと曲げられ、スライダ１０にそれぞれ保持された第１レンズ１６と第２レンズ１７とを通過して、光記録媒体７上に集光照射される。
【００６２】
上記スライダ１０は、板バネからなる一対の第１バネ（第１の弾性部材）１８・１８を介してスライダホルダ１３に支持されている。第１バネ１８・１８は、光ディスク１の方向へとスライダ１０を押し上げる方向の付勢力を有しており、スライダ１０は第１バネ１８・１８の付勢力にて光ディスク１側に押圧されている。この構成により、光ディスク１の回転に伴ってスライダ１０が光ディスク１表面より浮上（離間）した際、光ディスク１とスライダ１０との間に発生するエアベアリングの厚みが安定化され、光ディスク１とスライダ１０との間隔を一定間隔に維持される。なお、スライダ１０を光ディスク１側に押圧する付勢手段はバネに限定されず、弾性体であればよい。
【００６３】
一方、上記スライダ１０を支持するスライダホルダ１３は、板バネからなる一対の第２バネ（第２の弾性部材）１９・１９を介して光ピックアップキャリッジ１２に支持されている。ここで、スライダホルダ１３は、光ピックアップキャリッジ１２に対して、トラック方向２０（ディスク半径方向）に駆動（揺動）可能に支持される。
【００６４】
そして、このスライダホルダ１３は、光ピックアップキャリッジ１２に固定された一対の永久磁石２１・２１と、スライダホルダ１３に固定された一対のコイル２２・２２とからなる磁気回路により、トラック方向２０に駆動される。上記永久磁石２１・２１とコイル２２・２２とにて、トラック方向２０に駆動可能なトラッキングアクチュエータが構成される。上記スライダ１０、第１レンズ１６、及び第２レンズ１７は、スライダホルダ１３とともに、トラック方向２０に駆動される。なお、スライダホルダ１３を光ピックアップキャリッジ１２に対して揺動可能に支持する手段は、バネに限定されず、弾性体であればよい。
【００６５】
また、上記スライダ１０は、光ピックアップ５の部分拡大図である図３に示すように、一対のスライダ部材２６・２６で圧電素子層１５を挟み込んだ構成を有している。スライダ部材２６・２６は、例えば、厚さが０．２〜１．５ｍｍの金属板、ガラス板、プラスチック板等の材料を用いることができる。圧電素子層１５は、フォーカス方向４に駆動可能なフォーカスアクチュエータを構成するものであって、厚さが０. ２〜１．０ｍｍの積層型圧電素子、例えば、特開平１１−１２１８２０号に記載されているような、積層型圧電アクチュエータを用いることができる。
【００６６】
上記スライダ１０において、第１レンズ１６と第２レンズ１７とは、圧電素子層１５を挟むように、スライダ１０を貫く貫通穴２７に取り付けられている。したがって、圧電素子層１５に電圧を印加することで、第１レンズ１６と第２レンズ１７との距離が制御され、保護コート８の膜厚変動や、光ディスク１とスライダ１０との間の浮上高さの変動等により発生する光記録媒体７上での集光状態の異常を修正すべくフォーカシングが行われる。
【００６７】
スライダ１０に形成された上記貫通穴２７は、スライダ１０における光ディスク１に対向する面とスライダホルダ１３に対向する面とに、それぞれすり鉢状の窪みを形成することにより構成されている。第１レンズ１６及び第２レンズ１７はそれぞれ、各すり鉢状の窪みの斜面を基準面として、接着剤にて固定されている。
【００６８】
このように第１レンズ１６と第２レンズ１７とをスライダ１０に対して接着固定することにより、両レンズは水平方向（トラック方向）に対して固定され、トラック方向への位置ずれは起こらない。したがって、トラッキング時に、トラック方向に第１レンズ１６及び第２レンズ１７が駆動されても、第１レンズ１６と第２レンズ１７の光軸ずれを発生することはなく、集光スポット形状は円形に維持され、良好な記録再生特性を維持することが可能となる。
【００６９】
上記光ピックアップ５において、フォーカシング及びトラッキングのサーボ動作は、上記フォーカスアクチュエータ及びトラッキングアクチュエータに、前述した発光受光素子１１内のフォーカシング・トラッキング用受光素子２４から出力されるフォーカスエラー信号及びトラッキングエラー信号をフィードバックすることで行われる。
【００７０】
すなわち、図４に示すように、フォーカシング・トラッキング用受光素子２４より出力されるフォーカスエラー信号２８及びトラッキングエラー信号２９は、制御回路３０へ入力され、制御回路３０は、入力されたフォーカスエラー信号２８に基づいてフォーカスアクチュエータを構成する圧電素子層１５へフォーカス制御信号を供給し、フォーカシングを行い、また、入力されたトラッキングエラー信号２９に基づいてトラッキングアクチュエータを構成する一対のコイル２２・２２（図２参照）へトラッキング制御信号を供給し、トラッキングを行う。
【００７１】
本実施の形態の光ピックアップ５では、制御回路３０から圧電素子層１５へのフォーカス制御信号の供給は、制御回路３０と圧電素子層１５とをつなぐ一対のフォーカス制御用導線３１・３１を介して行われ、また、制御回路３０からコイル２２・２２へのトラッキング制御信号の供給は、制御回路３０とコイル２２・２２とをつなぐ一対のトラッキング制御用導線３２・３２を介して行われる。
【００７２】
次に、上記構成の光ピックアップ５におけるフォーカシング及びトラッキングの各サーボの性能を調べた結果を示す。
【００７３】
性能を調べるにあたり、光ディスク１は、板厚１．２ｍｍの光ディスク基板６上に、膜厚１２０ｎｍのＡｇ反射膜、膜厚２０ｎｍのＺｎＳ−ＳｉＯ２干渉膜、膜厚１５ｎｍのＡｇＩｎＳｂＴｅ相変化記録膜、膜厚４０ｎｍのＺｎＳ−ＳｉＯ２干渉膜からなる光記録媒体７を順次積層し、さらに、紫外線硬化樹脂からなる保護コート８を５０μｍの厚さで形成した。この光ディスク１の基板上には、幅０．２５μｍのランドとグルーブとがスパイラル状に形成された凹凸案内トラックが、深さ３０ｎｍで形成されている。
【００７４】
そして、上記光ディスク１をスピンドル３に取付け、３０００ｒｐｍで回転させた後、光ピックアップ５を光ディスク１に対して近接させ、光ディスク１とスライダ１０との間隔がおよそ１０μｍとなるように配置した。
【００７５】
また、光ピックアップ５の発光受光素子１１内の光源としては、波長４１０ｎｍの半導体レーザを使用し、第１レンズ１６と第２レンズ１７とで、実効的な開口数ＮＡが１．０となるように構成し、光記録媒体７上における最適状態での光ビームスポット直径は３３０ｎｍであった。
【００７６】
図６に、光ディスク１回転でのフォーカスエラー量の変動を示す。縦軸のフォーカスエラー量は、フォーカスエラー信号２８から換算した光記録媒体７上におけるフォーカスエラー量である。
【００７７】
この図からわかるように、フォーカスエラー量は、最大でも０．０７μｍであり、光ピックアップ５のフォーカス制御システムが良好に動作していることがわかる。なお、一般的には、フォーカスエラー量が±０．１μｍ以内であれば、フォーカス制御システムが良好に動作していると判定される。
【００７８】
図７に、光ディスク１回転でのトラックエラー量の変動を示す。縦軸のトラックエラー量は、トラックエラー信号２９から換算した光ディスク１上に形成された凹凸トラックに対するトッラクエラー量である。
【００７９】
この図からわかるように、トラックエラー量は、最大でも０．０３μｍであり、光ピックアップ５のトラッキング制御システムが良好に動作していることがわかる。なお、一般的には、トラックエラー量が±０．１μｍ以内であれば、トラッキング制御システムが良好に動作していると判定される。
【００８０】
〔実施の形態２〕
本発明に係る実施の他の形態について、図８、図９を用いて説明すれば、以下の通りである。なお、説明の便宜上、実施の形態１の図面に示した構成要素と同一の機能を有する構成要素については、同一の符号を付し、その説明を省略する。
【００８１】
実施の形態１の光ピックアップ５では、スライダ１０に対して一対のフォーカス制御用導線３１・３１が接続されているため、フォーカス制御用導線３１が自身の有する剛性にてバネとして働くこととなり、フォーカシングが不安定化する恐れがある。図６においても、矢印で示すように局所的なフォーカスエラーが観測され、この局所的なフォーカスエラーが最大フォーカスエラー量を決定している。
【００８２】
そこで、本実施の形態の光ピックアップ５０は、図８に示すように、スライダホルダ１３に対してスライダ１０を保持する一対の第１バネ１８・１８に導電性を持たせ、これら第１バネ１８・１８を介して、フォーカス方向に駆動可能なフォーカスアクチュエータを構成する圧電素子層１５へとフォーカス制御信号を供給するようになっている。
【００８３】
すなわち、フォーカス制御用導線３１・３１が、スライダホルダ１３上に固定された導線（図示せず）、または、スライダホルダ１３上に形成された導電性金属からなる電極（図示せず）に接続されている。これらスライダホルダ１３上に固定された導線または電極は、第１バネ１８・１８がスライダホルダ１３に固定されている部分にまで延設されている。そして、スライダ１０においては、スライダ１０に第１バネ１８・１８が固定されている部分からそれぞれ圧電素子層１５へと延びる一対の導線３３・３３が形成されている。
【００８４】
これにより、制御回路３０から供給されたフォーカス制御信号は、フォーカス制御用導線３１・３１、スライダホルダ１３上に固定された導線または電極、第１バネ１８・１８、導線３３・３３を介して圧電素子層１５へと供給される。ここで、導線３３は、スライダ１０表面に形成された導電性金属からなる電極であっても良い。
【００８５】
なお、本実施の形態の光ピックアップ５０は、フォーカス制御信号を供給する部分の構成が異なる以外は、実施の形態１の光ピックアップ５と同じ構成であるので、これ以上の説明は省略する。
【００８６】
このような光ピックアップ５０では、スライダ１０は、スライダホルダ１３に固定された一対の第１バネ１８・１８のみにより支持されることになり、フォーカス制御がより安定化される。
【００８７】
図９に、図６と同様にしてフォーカスエラー量を求めた結果を示す。この図からわかるように、図６に見られるような局所的なフォーカスエラーが低減され、最大フォーカスエラー量が、０．０４μｍにまで小さくなっていることが確認できる。
【００８８】
〔実施の形態３〕
本発明に係る実施の他の形態について、図１０、図１１を用いて説明すれば、以下の通りである。なお、説明の便宜上、実施の形態１、２の図面に示した構成要素と同一の機能を有する構成要素については、同一の符号を付し、その説明を省略する。
【００８９】
実施の形態１の光ピックアップ５では、スライダホルダ１３に対して一対のトラッキング制御用導線３２・３２が接続されているため、トラッキング制御用導線３２・３２が自身の有する剛性にてバネとして働くこととなり、トラッキングが不安定化する恐れがあった。図７においても、矢印で示すように局所的なトラックエラーが観測され、この局所的なトラックエラーが最大トラックエラー量を決定している。なお、同じトラッキング制御用導線３２・３２の配線構成を有する実施の形態２の光ピックアップ５０においても同じ問題がある。
【００９０】
そこで、本実施の形態の光ピックアップ５１では、図１０に示すように、実施の形態２の光ピックアップ５０の構成において、光ピックアップキャリッジ１２に対してスライダホルダ１３を揺動自在に支持する一対の第２バネ１９・１９に導電性を持たせ、これら第２バネ１９・１９を介してトラック方向に駆動可能なトラッキングアクチュエータを構成する一対のコイル２２・２２へトラッキング制御信号を供給するようになっている。
【００９１】
すなわち、光ピックアップ５・５０においては、一対の第２バネ１９・１９は、互いに平行に配された一対の平行な板バネから構成されていたが、ここでは、圧電素子層１５とコイル２２・２２とに信号供給を行うことが必要となるため、各板バネ１９を２分割して１９ａ・１９ｂとし、合計４本の板バネを用いた構成としている。
【００９２】
フォーカス制御用導線３１・３１は、光ピックアップキャリッジ１２上に固定された導線（図示せず）、または、光ピックアップキャリッジ１２上に形成された導電性金属からなる電極（図示せず）を通じて、導電性を有する４本の板バネの内の２本の板バネに接続される。そして、該板バネを介して、第１バネ１８・１８がスライダホルダ１３に固定されている部分にまで延設された、前述のスライダホルダ１３上の導線または電極に接続されている。
【００９３】
一方、トラッキング制御用導線３２・３２は、光ピックアップキャリッジ１２上に固定された導線（図示せず）、または、光ピックアップキャリッジ１２上に形成された導電性金属からなる電極（図示せず）を通じて、導電性を有する４本の板バネの内の残りの２本の板バネに接続される。そして、該板バネからスライダホルダ１３上に固定された導線（図示せず）、または、スライダホルダ１３上に形成された導電性金属からなる電極（図示せず）を通じて、コイル２２・２２へとトラッキング制御信号が供給される。
【００９４】
なお、光ピックアップ５１も、フォーカス制御信号を供給する部分と、トラッキング制御信号を供給する部分の構成が異なる以外は、光ピックアップ５と同じ構成であるので、これ以上の説明は省略する。
【００９５】
このような光ピックアップ５１では、スライダ１０が第１バネ１８・１８のみにより支持されることで、フォーカス制御が安定化されると共に、スライダホルダ１３が、光ピックアップキャリッジ１２に固定された第２バネ１９（１９ａ・１９ｂ）・１９（１９ａ・１９ｂ）のみにより支持されることで、トラッキング制御においても安定化される。
【００９６】
図１１に、図７と同様にしてトラックエラー量を求めた結果を示す。この図からわかるように、図７に見られるような局所的なトラックエラーが低減され、最大トラックエラー量が、０．０１５μｍまでも小さくなっていることが確認できる。
【００９７】
なお、本実施の形態の光ピックアップ５１では、フォーカス制御の安定に加えて、トラッキング制御の安定を図ったが、実施の形態１の光ピックアップ５に、トラッキング制御信号を第２バネ１９・１９を介して供給する構成を採用した実施の形態も考えられる。
【００９８】
〔実施の形態４〕
本発明に係る実施の他の形態について、図１２を用いて説明すれば、以下の通りである。なお、説明の便宜上、実施の形態１、２、３の図面に示した構成要素と同一の機能を有する構成要素については、同一の符号を付し、その説明を省略する。
【００９９】
実施の形態１の光ピックアップ５では、スライダ１０に磁界印加手段は搭載されていなかった。そのため、光ディスク１における光記録媒体７としては、ＴｂＦｅＣｏ等の光磁気記録材料や、ＴｂＦｅＣｏ及びＧｄＦｅＣｏ等を複数層積層した超解像光磁気記録材料等を使用した光ディスク１に対しては、別途、磁界印加手段を設ける必要があり、光ディスク装置の構成が複雑化する。
【０１００】
そこで、本実施の形態の光ピックアップ５２では、上記スライダ５３に、磁界印加手段である空芯コイル３４を搭載させている。
【０１０１】
図１２に、本実施の形態の光ピックアップ５２のスライダ５３の拡大断面図を示す。この光ピックアップ５２においては、スライダ５３に固定された第２レンズ１７を囲むように、光記録媒体７に記録磁界を供給するための空芯コイル３４が設けられている。ここで、空芯コイル３４は、スライダ５３を構成する一対のスライダ部材２６・２６のうちの、光ディスク１と対向する方の表面に、第２レンズ１７を囲むように形成されたドーナツ形状の窪み部分２６ａに巻回されている。
【０１０２】
また、空芯コイル３４の一対の引出し導線３５・３５は、スライダ５３における光ディスク１と対向する面の平滑性を良くするために、スライダ１０の窪み部分２６ａに形成した導線通過孔３６から、スライダ１０のスライダホルダ１３に対向する面へと取り出されている。引出し導線３５・３５に電圧を印加することにより、空芯コイル３４に電流が流れて、記録磁界が発生する。
【０１０３】
このようなスライダ５３を搭載した光ピックアップ５２における制御回路３０からのフォーカス制御信号及びトラッキング制御信号を供給する構成としては、実施の形態１の光ピックアップ５の構成、実施の形態２の光ピックアップ５０の構成、実施の形態３の光ピックアップ５１の構成の何れを用いてもよい。但し、引出し導線３５・３５が、スライダ５３に接続されると、前述したフォーカス制御用導線３１・３１と同様に、引出し導線３５・３５が自身の有する剛性にてバネとして働いてスライダ５３の安定した浮上が妨げられ、フォーカス制御の不安定化を招来する恐れがあるので、望ましくは、実施の形態２、３の構成を採用することである。
【０１０４】
そして、より望ましくは、実施の形態３の構成を採用すると共に、実施の形態３でフォーカス制御信号を供給するためのラインとして、第２バネ１９・１９を２分割したと同様に、第２バネ１９を２分割した１９ａ・１９ｂの何れか一方をさらに２分割すると共に、第１バネ１８・１８、及び、各第１バネ１８へと信号を供給する導線或いは電極をも２分割し、そのうちの一系統を、上記の空芯コイル３４へと電力を供給する引出し導線３５・３５に接続することである。
【０１０５】
このようにすることで、空芯コイル３４を搭載した構成においても、スライダ５３は第１バネ１８・１８のみにて支持されると共に、スライダホルダ１３も第２バネ１９・１９のみにて支持されることとなり、フォーカシング及びトラッキングがより安定化する。
【０１０６】
なお、空芯コイル３４への電力供給を、第１バネ１８・１８及び第２バネ１９・１９の両方を介して行う必要はなく、第１バネ１８・１８或いは第２バネ１９・１９の一方のみを介して行うことでも、フォーカシング或いはトラッキングは安定化する。
【０１０７】
次に、上記構成の光ピックアップ５２における、記録再生の性能を調べた結果を示す。
【０１０８】
記録再生の性能を調べるにあたり、スライダ５３に形成した窪み部分２６ａは、内径φ０．１５ｍｍ、外径φ１．５ｍｍ、深さ０．１ｍｍとし、その中に直径４０μｍの導線を巻き付け、空芯コイル３４とした。そして、スライダ５３の窪み部分２６ａに形成した直径０．１ｍｍの導線通過孔３６から、スライダ５３のスライダホルダ１３に対向する面へと引き出した引出し導線３５・３５に、直接電圧電源に接続して電力供給を行った。つまり、この性能チェックでは、引き出し導線３５・３５が、スライダ５３の安定浮上を若干妨げることとなる。
【０１０９】
また、光ディスク１としては、板厚１．２ｍｍの光ディスク基板６上に、膜厚１２０ｎｍのＡｇ反射膜、膜厚２０ｎｍのＳｉＮ干渉膜、膜厚３０ｎｍのＴｂＦｅＣｏ記録膜、膜厚５ｎｍのＡｌＮ中間層、膜厚３０ｎｍのＧｄＦｅＣｏ再生層、膜厚４０ｎｍのＡｌＮ干渉膜からなる光記録媒体７を順次積層し、さらに、紫外線硬化樹脂からなる保護コート８を５０μｍの厚さで形成した。この光ディスク１は、温度上昇した領域のみの記録層の磁化情報が、静磁結合により再生層へと転写される超解像光磁気ディスクである。また、光ディスク１の基板上には、幅０．２５μｍのランドとグルーブとがスパイラル状に形成された凹凸案内トラックが、深さ３０ｎｍで形成されている。
【０１１０】
このような光ディスク１をスピンドルに取付け、３０００ｒｐｍで回転させた後、図１０に示すように、実施の形態３の光ピックアップ５１の構成を採用して光ディスク１に対して近接させ、光ディスク１とスライダ５３との間隔がおよそ１０μｍとなる状態とした後、光ディスク１上の凹凸案内トラックに対して、フォーカス制御及びトラッキング制御を行い、記録再生特性を調査した。
【０１１１】
ここでは、第２レンズ１７出射部分での記録パワーを５ｍＷとして、記録される磁区パターンが０．２μｍ周期となるように空芯コイル３４に高周波矩形電圧を印加して記録を行った。
【０１１２】
上記記録信号を、第２レンズ出射部分での再生パワーを１．５ｍＷとして再生したところ、３９．５ｄＢのＣＮＲ（信号対雑音比）が得られ、良好な記録再生が行われていることを確認できた。
【０１１３】
また、上記にてより望ましい構成として説明した構成を採用し、導電性を有する第１板バネ１８・１８及び導電性を有する第２板バネ１９・１９を介して、引出し導線３５・３５に記録磁界発生用電力を供給したところ、フォーカス制御及びトラッキング制御がより安定化され、上記と同様な記録条件及び再生条件にて、４１．０ｄＢのＣＮＲが得られ、１．５ｄＢのＣＮＲの向上を確認できた。
【０１１４】
なお、上記した各実施の形態においては、集光レンズ手段を構成する複数枚のレンズを２枚の構成としたが、さらなる高ＮＡ化が可能な３枚以上の構成であってもよく、その場合、少なくと１つのレンズ間隔を、同じくスライダに設けた圧電素子層にて制御することで、同じ効果を得ることができる。
【０１１５】
【発明の効果】
本発明の光ピックアップは、以上のように、光ディスクの回転にて光ディスク表面より浮上するスライダに、光ビームを光ディスクに集光するための複数のレンズからなる集光レンズ手段を搭載させ、かつ、これら複数のレンズのレンズ間隔を、上記スライダに搭載した圧電素子層にて制御することを特徴としている。
【０１１６】
これにより、スライダが光ディスク表面に倣うことで、波面収差を抑制することができると共に、集光レンズ手段を構成する複数のレンズのレンズ間隔が、圧電素子層にて制御されるので、容易にフォーカシングを行って光ディスクに光ビームを集光させることが可能となり、光ディスクの厚さやチルト等のダイナミックな変動に対しても容易に対応できる。その上、集光レンズ手段を構成する複数のレンズ全てがスライダに搭載されるので、トラッキング時に各レンズがトラック方向に位置ずれするようなことがなく、集光レンズ手段を構成するレンズを複数枚として高ＮＡ化を図っても、複数のレンズ間で光軸ずれが発生せず、光ディスク上の集光スポット形状を良好な円形状とできる。
【０１１７】
その結果、高ＮＡ化を図るべく、複数のレンズからなる集光レンズ手段を使用しても、良好な記録再生特性を維持することが可能となり、ひいては、高密度記録再生の実用化を達成できるという効果を奏する。
【０１１８】
本発明の光ピックアップは、以上のように、上記構成の光ピックアップにおいて、上記スライダは、スライダを光ディスク方向に付勢する第１の弾性部材を介してスライダ保持体に保持された構成であって、上記第１の弾性部材は導電性材料よりなり、該第１の弾性部材を介して上記圧電素子層への電力供給が行われることを特徴としている。
【０１１９】
これにより、光ディスクの回転にてスライダと光ディスク表面との間に形成されるエアベアリング（空気膜）の状態が安定化されることで、波面収差をより効果的に抑制することが可能となると共に、第１の弾性部材を介して圧電素子層へと電力を供給する構成であるので、低コスト化が図れることはもちろんのこと、スライダの安定浮上が妨げられず、安定したフォーカシングが実現されるという効果を併せて奏する。
【０１２０】
本発明の光ピックアップは、以上のように、上記構成の光ピックアップにおいて、上記スライダを保持するスライダ保持体は、スライダ保持体をトラック方向に揺動自在に支持する第２の弾性部材を介してキャリッジに保持され、スライダ保持体に保持されたアクチュエータにてトラック方向に駆動される構成であって、上記第２の弾性部材は導電性材料よりなり、該第２の弾性部材を介して上記アクチュエータへの電力供給が行われることを特徴としている。
【０１２１】
これにより、偏心を有する光ディスクであっても、トラッキングを行って追随可能となると共に、第２の弾性部材を介してスライダ保持体に設けられたアクチュエータへと電力を供給する構成であるので、低コスト化が図れることはもちろんのこと、スライダ保持体のトラック方向への揺動が妨げられることがなく、より安定したトラッキングが実現されるという効果を併せて奏する。
【０１２２】
本発明の光ピックアップは、以上のように、上記構成の光ピックアップにおいて、上記スライダは、スライダを光ディスク方向に付勢する第１の弾性部材を介してスライダ保持体に保持された構成であると共に、上記スライダ保持体は、スライダ保持体をトラック方向に揺動自在に支持する第２の弾性部材を介してキャリッジに保持され、スライダ保持体に保持されたアクチュエータにてトラック方向に駆動される構成であって、上記第１の弾性部材及び第２の弾性部材は共に導電性材料よりなり、これら第１の弾性部材及び第２の弾性部材を介して上記圧電素子層への電力供給が行われると共に、第２の弾性部材を介して上記アクチュエータへの電力供給が行われることを特徴としている。
【０１２３】
これにより、エアベアリングの状態が安定化されて波面収差をより効果的に抑制することが可能となると共に、トラッキングを行って偏心を有する光ディスクであっても追随可能となる。そして、これに加えて、圧電素子層への給電を第１の弾性部材及び第２の弾性部材を介して行うと共に、アクチュエータへの給電を第２の弾性部材を介して行うので、安定化したフォーカシング及びトラッキングが実現されるという効果を併せて奏する。
【０１２４】
本発明の光ピックアップは、以上のように、上記構成の光ピックアップにおいて、上記スライダに、磁界印加手段が搭載されていることを特徴としている。
【０１２５】
光ディスクにおける記録材料として光磁気記録材料を用いた場合（光磁気ディスク）、光ディスクに対して磁界を印加することが必要となるが、これによれば、上記スライダに磁界印加手段までもが搭載されているので、磁界印加手段を搭載したスライダ等の磁気ヘッドを別途設ける構成に比べて、光ピックアップが搭載される光ディスク装置の構造をより簡素化できるという効果を併せ奏する。
【０１２６】
本発明の光ピックアップは、以上のように、上記構成の光ピックアップにおいて、上記スライダは、スライダを光ディスク方向に付勢する第１の弾性部材を介してスライダ保持体に保持された構成であって、上記第１の弾性部材は導電性材料よりなり、該第１の弾性部材を介して上記磁界印加手段への電力供給が行われることを特徴としている。
【０１２７】
これにより、光ディスクの回転にてスライダと光ディスク表面との間に形成されるエアベアリング（空気膜）の状態が安定化されることで、波面収差をより効果的に抑制することが可能となると共に、第１の弾性部材を介して磁界印加手段へと電力を供給する構成であるので、スライダに搭載された圧電素子層への電力供給の場合と同様に、低コスト化が図れることはもちろんのこと、スライダの安定浮上が妨げられることがないので、より安定したフォーカシングが実現されるという効果を併せて奏する。
【０１２８】
本発明の光ピックアップは、以上のように、上記構成の光ピックアップにおいて、上記スライダを保持するスライダ保持体は、スライダ保持体をトラック方向に揺動自在に支持する第２の弾性部材を介してキャリッジに保持された構成であって、上記第２の弾性部材は導電性材料よりなり、該第２の弾性部材を介して上記磁界印加手段への電力供給が行われることを特徴としている。
【０１２９】
これにより、偏心を有する光ディスクであっても、アクチュエータを設けることでトラッキングを行って追随可能となると共に、第２の弾性部材を介してスライダ保持体に設けられた磁界印加手段へと電力を供給する構成であるので、スライダ保持体に保持されたアクチュエータへの電力供給の場合と同様に、低コスト化が図れることはもちろんのこと、スライダ保持体のトラック方向への揺動が妨げられることがないので、より安定したトラッキングが実現されるという効果を併せて奏する。
【０１３０】
本発明の光ピックアップは、以上のように、上記構成の光ピックアップにおいて、上記スライダは、スライダを光ディスク方向に付勢する第１の弾性部材を介してスライダ保持体に保持された構成であると共に、上記スライダ保持体は、当該スライダ保持体をトラック方向に揺動自在に支持する第２の弾性部材を介してキャリッジに保持された構成であって、上記第１の弾性部材及び第２の弾性部材が共に導電性材料よりなり、これら第１の弾性部材及び第２の弾性部材を介して上記磁界印加手段への電力供給が行われることを特徴としている。
【０１３１】
これにより、エアベアリングの状態が安定化されて波面収差をより効果的に抑制することが可能となると共に、アクチュエータを設けることでトラッキングを行って偏心を有する光ディスクであっても追随可能となり、また、磁界印加手段への給電を第１の弾性部材及び第２の弾性部材を介して行うので、安定化したフォーカシング及びトラッキングが実現されるという効果を併せて奏する。
【０１３２】
また、本発明の光ディスク装置は、以上のように、上記した本発明の光ピックアップを備えてなることを特徴としている。
【０１３３】
これにより、高ＮＡ化を図って、高密度記録再生を実現できる光ディスク装置を提供できるという効果を奏する。
【図面の簡単な説明】
【図１】本発明の実施の一形態を示すもので、光ピックアップの断面図である。
【図２】図１の光ピックアップの平面図である。
【図３】図１の光ピックアップのスライダ部分を示す要部拡大断面図である。
【図４】図１の光ピックアップが搭載された光ディスク装置の要部構成を示す説明図である。
【図５】図１の光ピックアップが搭載された光ディスク装置の概略構成を模式的に示す説明図である。
【図６】図１の光ピックアップにおけるフォーカスエラー量を示す説明図である。
【図７】図１の光ピックアップにおけるトラックエラー量を示す説明図である。
【図８】本発明の実施の他の形態を示すもので、光ピックアップの断面図である。
【図９】図８の光ピックアップにおけるフォーカスエラー量を示す説明図である。
【図１０】本発明の実施のさらに他の形態を示すもので、光ピックアップの断面図である。
【図１１】図１０の光ピックアップにおけるトラックエラー量を示す説明図である。
【図１２】本発明の実施のさらに他の形態を示すもので、光ピックアップのスライダ部分の断面図である。
【図１３】従来の光ピックアップの一部拡大断面図である。
【符号の説明】
１  光ディスク
５  光ピックアップ
９  光ビーム
１０  スライダ
１２  光ピックアップキャリッジ（キャリッジ）
１３  スライダホルダ（スライダ保持体）
１５  圧電素子層
１６  第１レンズ（集光レンズ手段）
１７  第２レンズ（集光レンズ手段）
１８  第１バネ（第１の弾性部材）
１９  第２バネ（第２の弾性部材）
２０  トラック方向
２１  永久磁石（アクチュエータ）
２２  コイル（アクチュエータ）
３４  空芯コイル（磁界印加手段）
【図１】
0004368542.tif 000002
【図２】
0004368542.tif 000003
【図３】
0004368542.tif 000004
【図４】
0004368542.tif 000005
【図５】
0004368542.tif 000006
【図６】
0004368542.tif 000007
【図７】
0004368542.tif 000008
【図８】
0004368542.tif 000009
【図９】
0004368542.tif 000010
【図１０】
0004368542.tif 000011
【図１１】
0004368542.tif 000012
【図１２】
0004368542.tif 000013
【図１３】
0004368542.tif 000014